【手続補正書】
【提出日】平成26年9月26日(2014.9.26)
【手続補正１】
【補正対象書類名】明細書
【補正対象項目名】０００６
【補正方法】変更
【補正の内容】
【０００６】
このように歯車を用いると、動作時にバックラッシュを避けることができない上に、操作時にガタが生じ易く、このガタは筐体が大きくなるにつれて拡大されてしまうといった問題点があった。
【手続補正２】
【補正対象書類名】明細書
【補正対象項目名】００１７
【補正方法】変更
【補正の内容】
【００１７】
【図１】本発明に係る平行２軸ヒンジを用いたノートパソコンの第１の筐体と第２の筐体の閉成状態の斜視図である。
【図２】本発明に係る平行２軸ヒンジを用いたノートパソコンの第１の筐体と第２の筐体を全開させて見た斜視図である。
【図３】本発明に係る平行２軸ヒンジの動作終了時の状態を一方向から見た斜視図である。
【図４】本発明に係る平行２軸ヒンジの動作終了時の状態を他方の側から見た斜視図である。
【図５】図４の状態を下方から見た斜視図である。
【図６】本発明に係る平行２軸ヒンジを一方の側から見た分解斜視図である。
【図７】本発明に係る平行２軸ヒンジの動作を図３の矢印Ｂの方向から見た説明図であり、（ａ）は動作前の状態を示し、（ｂ）は動作途中の状態を示し、（ｃ）は動作終了時の状態を示している。
【図８】本発明に係る平行２軸ヒンジの軸受部材と軸押圧部材の動作の説明図であり、（ａ）は動作前の状態を示し、（ｂ）は動作途中の状態を示し、（ｃ）は動作終了時の状態を示している。
【図９】本発明に係る平行２軸ヒンジの第１スライド部材を示し、（ａ）はその斜視図、（ｂ）は見る方向を変えてみた斜視図である。
【図１０】本発明に係る平行２軸ヒンジの第２スライド部材を示し、（ａ）はその斜視図、（ｂ）はその側面図である。
【図１１】本発明に係る平行２軸ヒンジの第１Ａリンクカム部材或は第１Ｂリンクカム部材の斜視図である。
【図１２】本発明に係る平行２軸ヒンジの第２Ａリンクカム部材或は第２Ｂリンクカム部材を示し、（ａ）はその斜視図であり、（ｂ）は見る方向を変えて見た斜視図である。
【図１３】本発明に係る平行２軸ヒンジの軸受部材の斜視図である。
【図１４】本発明に係る平行２軸ヒンジの軸押圧部材の斜視図である。
【図１５】本発明に係る平行２軸ヒンジの第１ヒンジシャフトと第２ヒンジシャフトの軸間距離の変動を説明する説明図であり、（ａ）は第１の筐体と第２の筐体の閉成状態を示し、（ｂ）は第１の筐体と第２の筐体の中間の開成状態を示し、（ｃ）は第１の筐体と２の筐体の全開成状態を示し、（ｄ）は本発明に係る平行２軸ヒンジを用いない場合の第１の筐体と第２の筐体の中間開成状態を示している。
【手続補正３】
【補正対象書類名】明細書
【補正対象項目名】００２３
【補正方法】変更
【補正の内容】
【００２３】
また、第１Ａリンクカム部材７及び前記第１Ｂリンクカム部材８と第２Ａリンクカム部材１２及び第２Ｂリンクカム部材１３をそれぞれ第１スライド部材６及び第２スライド部材９と係合させる手段は、第１Ａリンクカム部材７及び第１Ｂリンクカム部材８と第２Ａリンクカム部材１２及び第２Ｂリンクカム部材１３にそれぞれ設けたガイド溝７ｃ、７ｃ・８ｃ、８ｃ及び１２ｃ、１２ｃ・１３ｃ、１３ｃと、これらの各ガイド溝７ｃ、７ｃ・８ｃ、８ｃ及び１２ｃ、１２ｃ・１３ｃ、１３ｃと係合する第１スライド部材６及び第２スライド部材９にそれぞれ設けた第１ガイド突起６ａと第２ガイド突起６ｂ及び第１ガイド突起９ａと第２ガイド突起９ｂとで構成されている。
【手続補正４】
【補正対象書類名】明細書
【補正対象項目名】００２６
【補正方法】変更
【補正の内容】
【００２６】
第１スライド部材６は平面略三角形状を呈しており、その一側部側に一対の第１ガイド突起６ａと第２ガイド突起６ｂが離間して設けられると共に、その他側部側にはブリッジ部材５のガイド長孔５ｆとスライド可能に係合する係合突起６ｃが設けられている。第２スライド部材９は平面略三角形状を呈しており、その一側部側に一対の第１ガイド突起９ａと第２ガイド突起９ｂが離間して設けられている。その他側部側には第１スライド部材６の係合突起６ｃと係合する係合凹部９ｃが設けられている。第１スライド部材６と第２スライド部材９の各部材の図面に指示線で示された指示記号６ｄ、６ｅ・９ｄ、９ｅのものは、ブリッジ部材５の軸受プレート部５ａを挟んで第１スライド部材６と第２スライド部材９を取付ネジｄ、ｄで固着するための取付孔である。以上の構成により、第１スライド部材６と第２スライド部材９は、ガイド長孔５ｆから抜け出ることなく、当該ガイド長孔５ｆに対し一緒にスライド可能となるように取り付けられている。
【手続補正５】
【補正対象書類名】明細書
【補正対象項目名】００３５
【補正方法】変更
【補正の内容】
【００３５】
図７（ａ）と図８（ａ）に示したように、第１の筐体３と第２の筐体４を閉じた閉成状態においては、第１ブラケット１８と第２ブラケット１９は互いに対向状態にある。この対向状態において、同期回転伝達手段Ｄの第１スライド部材６と第２スライド部材９は共に、ブリッジ部材５のガイド長孔５ｆの下部側に位置しており、軸間距離調節手段Ｅの軸受部材１４と軸押圧部材１５が弾性手段１６の弾力により、第１ヒンジシャフト１０と第２ヒンジシャフト１１を挿通させている第２Ａリンクカム部材１２と第２Ｂリンクカム部材１３を挟圧して、図８（ａ）に示したように、軸受部材１４の各第１湾曲凹部１４ｂ、１４ｃの外側に位置させている。
【手続補正６】
【補正対象書類名】明細書
【補正対象項目名】００３６
【補正方法】変更
【補正の内容】
【００３６】
この閉成状態から、例えば第１の筐体３を開くと、同期回転伝達手段Ｄと軸間距離調節手段Ｅとが連動して、次のように動作することになる。まず、第１ブラケット１８と共に第１ヒンジシャフト１０が回転し、この第１ヒンジシャフト１０が回転すると、この第１ヒンジシャフト１０と共に回転するように構成されている第１リンク手段Ｆの第１Ａリンクカム部材７と第２リンク手段Ｇの第２Ａリンクカム部材１２が回転することから、互いのガイド溝７ｃ、１２ｃを係合させている第１ガイド突起６ａ、９ａを介して第１スライド部材６と第２スライ部材９がガイド長孔５ｆ内をスライドするので、第２ガイド突起６ｂ、９ｂを介して第１Ｂリンクカム部材８と第２Ｂリンクカム部材１３が回転することになり、第１ヒンジシャフト１０と第２ヒンジシャフト１１が同期して回転することになる。そうすると、第２の筐体４も第１の筐体３とともに同期して開かれることになる。
【手続補正７】
【補正対象書類名】明細書
【補正対象項目名】００３７
【補正方法】変更
【補正の内容】
【００３７】
他方、第１の筐体３と第２の筐体４の閉成状態から、第２の筐体４側を開くと、同期回転伝達手段Ｄと軸間距離調節手段Ｅとが連動して、次のように動作することになる。まず、第２ブラケット１９と共に第２ヒンジシャフト１１が回転し、この第２ヒンジシャフト１１が回転すると、この第２ヒンジシャフト１１と共に回転するように構成されている第１リンク手段Ｆの第１Ｂリンクカム部材８と、第２リンク手段Ｇの第２Ｂリンクカム部材１３が回転することから、互いのガイド溝８ｃ、１３ｃを係合させているカム凸部８ｂ、１３ｂを介して第１スライド部材６と第２スライド部材９がガイド長孔５ｆ内をスライドするので、第１ガイド突起６ａ、９ａを介して第１Ａリンクカム部材７と第２Ａリンクカム部材１２が回転することになり、第１ヒンジシャフト１０と第２ヒンジシャフト１１が同期して回転することになる、そうすると、第２の筐体４も第１の筐体３とともに同期して開かれることになる。
【手続補正８】
【補正対象書類名】図面
【補正対象項目名】図３
【補正方法】変更
【補正の内容】
【図３】
2013076415.tif 000001
【手続補正９】
【補正対象書類名】図面
【補正対象項目名】図５
【補正方法】変更
【補正の内容】
【図５】
2013076415.tif 000002
【手続補正１０】
【補正対象書類名】図面
【補正対象項目名】図６
【補正方法】変更
【補正の内容】
【図６】
2013076415.tif 000003
【手続補正１１】
【補正対象書類名】図面
【補正対象項目名】図８
【補正方法】変更
【補正の内容】
【図８】
2013076415.tif 000004
【手続補正１２】
【補正対象書類名】図面
【補正対象項目名】図１０
【補正方法】変更
【補正の内容】
【図１０】
2013076415.tif 000005